(57)【特許請求の範囲】
【請求項１】
媒体を処理する媒体処理装置であって、
装置本体と、
前記装置本体から引出可能なユニットと、
前記ユニット内に装着され、前記媒体を収納する媒体収納庫と、
を備え、
前記ユニットは、
前記ユニットを前記装置本体に固定するロック部を有し、
前記媒体収納庫は、
前記ユニットの引出方向に沿って移動可能なシャッタと、
前記シャッタを前記引出方向に対して反対方向へ付勢する付勢部材と、
前記シャッタと連結され、且つ、前記媒体収納庫を装着した前記ユニットを前記装置本体に挿入した際に前記装置本体に設けられた突起部によって押圧される押圧部と、
を有し、
前記付勢部材は、前記押圧部と前記媒体収納庫の利用者側の側面とは反対側に位置する側面である奥側側面との間を接続するように設けられ、
前記押圧部が前記突起部によって前記引出方向に押圧されると前記付勢部材が前記反対方向に伸び、前記ユニットが前記ロック部によって固定されないと前記付勢部材が前記引出方向に縮んで前記奥側側面を引くことによって前記ユニットを前記引出方向に移動させる、
媒体処理装置。
【請求項２】
媒体を処理する媒体処理装置であって、
装置本体と、
前記装置本体から引出可能なユニットと、
前記ユニット内に装着され、前記媒体を収納する媒体収納庫と、
を備え、
前記ユニットは、
前記ユニットを前記装置本体に固定するロック部を有し、
前記媒体収納庫は、
前記ユニットの引出方向に沿って移動可能なシャッタと、
前記シャッタを前記引出方向に対して反対方向へ付勢する付勢部材と、
前記シャッタと連結され、且つ、前記媒体収納庫を装着した前記ユニットを前記装置本体に挿入した際に前記装置本体に設けられた突起部によって押圧される押圧部と、
を有し、
前記シャッタは、
前記引出方向に沿って移動可能なスライド部と、
前記引出方向に沿って移動し、前記媒体収納庫を開閉するシャッタ部と、
前記スライド部と前記シャッタ部とを連結する連結部と、
を有し、
前記押圧部は、前記スライド部に設けられ、
前記付勢部材は、前記スライド部を前記引出方向に対して反対方向へ付勢する、
媒体処理装置。
【請求項３】
前記付勢部材は引張コイルばねである、請求項１または２に記載の媒体処理装置。
【請求項４】
前記付勢部材は板ばねである、請求項１または２に記載の媒体処理装置。
【請求項５】
前記媒体収納庫は、
前記シャッタを閉鎖位置に固定するシャッタロック機構をさらに有し、
前記シャッタロック機構は、前記突起部によって押圧されることにより前記シャッタの固定を解除する、
請求項１〜４のいずれか１項に記載の媒体処理装置。
【請求項６】
前記ロック部は、
前記ユニットが前記装置本体内のユニット収納位置に挿入された場合に、
前記ユニットを前記装置本体の前記ユニット収納位置に固定する、
請求項１〜５のいずれか１項に記載の媒体処理装置。
【請求項７】
前記ユニットの側面には貫通孔が設けられており、
前記突起部は前記貫通孔を貫通することにより、前記押圧部を押圧する、
請求項１〜６のいずれか１項に記載の媒体処理装置。
【発明の詳細な説明】
【技術分野】
【０００１】
本発明は、媒体処理装置に関する。
【背景技術】
【０００２】
金融機関や店舗等において、媒体としての紙幣や硬貨を金種ごとに分類し、さらに媒体を収納する媒体処理装置が利用されている。例えば、媒体処理装置は、媒体を取り込み又は排出する媒体入排出部と、取り込まれた媒体の正損状態と金種とを鑑別する鑑別部と、媒体を収納する媒体収納庫と、媒体を媒体処理装置内の各所へ搬送する搬送部と、鑑別部での鑑別結果に基づいて、媒体を各所へ搬送するように搬送部を制御する制御部と、を主に有する。また、媒体収納庫は、媒体処理装置本体から引き出すことができるユニットに装着される。
【０００３】
上述の媒体処理装置においては、媒体収納庫は、鑑別部から搬送される媒体を受け入れるために開口部を有している。そして、当該媒体収納庫は厳重に取り扱うことが求められる紙幣や硬貨を収納するため、その開口部には、所定の条件を満たさない限り開かないような機構を有するシャッタが設けられている。このようなシャッタの機構としては、下記の特許文献１及び特許文献２が挙げられる。
【先行技術文献】
【特許文献】
【０００４】
【特許文献１】特開平４−１８８２９２号公報
【特許文献２】特開２００４−４４２４９号公報
【発明の概要】
【発明が解決しようとする課題】
【０００５】
ところで、媒体収納庫を装着したユニットは、媒体処理装置のユニット収納位置に適切に収納される必要がある。当該ユニットが適切にユニット収納位置に収納されない場合には、例えば、当該ユニットに装着された媒体収納庫のシャッタが開かなくなるような、媒体処理装置における誤操作を招く場合がある。このような場合、搬送された媒体が、媒体収納庫内に収納されないことから、媒体処理装置内で媒体づまり（例えば、紙幣づまり）の原因となったり、紙幣、硬貨が誤った箇所に収納される誤収納の原因となったりする。
【０００６】
そこで、本発明は、上記問題に鑑みてなされたものであり、本発明の目的とするところは、ユニットを媒体処理装置内のユニット収納位置に適切に収納することができる、新規かつ改良された媒体処理装置を提供することにある。
【課題を解決するための手段】
【０００７】
上記課題を解決するために、本発明のある観点によれば、媒体を処理する媒体処理装置であって、装置本体と、前記装置本体から引出可能なユニットと、前記ユニット内に装着され、前記媒体を収納する媒体収納庫と、を備え、前記ユニットは、前記ユニットを前記装置本体に固定するロック部を有し、前記媒体収納庫は、前記ユニットの引出方向に沿って移動可能なシャッタと、前記シャッタを前記引出方向に対して反対方向へ付勢する付勢部材と、前記シャッタと連結され、且つ、前記媒体収納庫を装着した前記ユニットを前記装置本体に挿入した際に前記装置本体に設けられた突起部によって押圧される押圧部と、を有し、前記付勢部材は、前記押圧部と前記媒体収納庫の利用者側の側面とは反対側に位置する側面である奥側側面との間を接続するように設けられ、前記押圧部が前記突起部によって前記引出方向に押圧されると前記付勢部材が前記反対方向に伸び、前記ユニットが前記ロック部によって固定されないと前記付勢部材が前記引出方向に縮んで前記奥側側面を引くことによって前記ユニットを前記引出方向に移動させる、媒体処理装置が提供される。
本発明の他の観点によれば、媒体を処理する媒体処理装置であって、装置本体と、前記装置本体から引出可能なユニットと、前記ユニット内に装着され、前記媒体を収納する媒体収納庫と、を備え、前記ユニットは、前記ユニットを前記装置本体に固定するロック部を有し、前記媒体収納庫は、前記ユニットの引出方向に沿って移動可能なシャッタと、前記シャッタを前記引出方向に対して反対方向へ付勢する付勢部材と、前記シャッタと連結され、且つ、前記媒体収納庫を装着した前記ユニットを前記装置本体に挿入した際に前記装置本体に設けられた突起部によって押圧される押圧部と、を有し、前記シャッタは、前記引出方向に沿って移動可能なスライド部と、前記引出方向に沿って移動し、前記媒体収納庫を開閉するシャッタ部と、前記スライド部と前記シャッタ部とを連結する連結部と、を有し、前記押圧部は、前記スライド部に設けられ、前記付勢部材は、前記スライド部を前記引出方向に対して反対方向へ付勢する、媒体処理装置が提供される。
【０００８】
前記付勢部材は引張コイルばねであってもよい。
【０００９】
前記付勢部材は板ばねであってもよい。
【００１０】
前記媒体収納庫は、前記シャッタを閉鎖位置に固定するシャッタロック機構をさらに有し、前記シャッタロック機構は、前記突起部によって押圧されることにより前記シャッタの固定を解除してもよい。
【００１１】
前記ロック部は、前記ユニットが前記装置本体内のユニット収納位置に挿入された場合に、前記ユニットを前記装置本体の前記ユニット収納位置に固定してもよい。
【００１２】
前記ユニットの側面には貫通孔が設けられており、前記突起部は前記貫通孔を貫通することにより、前記押圧部を押圧するようにしてもよい。
【発明の効果】
【００１４】
以上説明したように本発明によれば、ユニットを媒体処理装置内のユニット収納位置に適切に収納することができる。
【図面の簡単な説明】
【００１５】
【図１】第１の実施形態に係る紙幣処理装置１０の構成の一例を説明する説明図である。
【図２】第１の実施形態に係る紙幣処理装置１０を図１のＡ−Ａ´で切断した断面図である。
【図３】第１の実施形態に係るシャッタロック機構１３８のガイド部１３８ｂの平面図である。
【図４】第１の実施形態に係るユニット１００及び紙幣収納庫１０２の動作を説明するための説明図（その１）である。
【図５】第１の実施形態に係るユニット１００及び紙幣収納庫１０２の動作を説明するための説明図（その２）である。
【図６】第１の実施形態に係るユニット１００及び紙幣収納庫１０２の動作を説明するための説明図（その３）である。
【図７】第１の実施形態に係るユニット１００及び紙幣収納庫１０２の動作を説明するための説明図（その４）である。
【図８】第１の実施形態の変形例に係る紙幣処理装置４０を図１のＡ−Ａ´で切断した断面図である。
【図９】第２の実施形態に係る紙幣処理装置５０を図１のＡ−Ａ´で切断した断面図である。
【発明を実施するための形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
以下に説明する実施形態は、金融機関等の店舗において使用される現金自動預け払い機や、店舗等のバックヤードで使用される紙幣整理装置のような紙幣処理装置に適用される。しかしながら、本実施形態は、上述の紙幣処理装置に適用することに限定されるものではなく、店舗や公共機関等で紙幣や硬貨のような媒体を処理する際に使用される硬貨処理装置等の媒体処理装置に適用されてもよい。すなわち、以下に説明する実施形態においては、処理され、収納される媒体は紙幣に限定されるものではなく、硬貨であってもよく、特に限定されるものではない。
【００１８】
＜＜第１の実施形態＞＞
＜紙幣処理装置１０の概要＞
次に、図１を参照しながら、第１の実施形態に係る紙幣処理装置（媒体処理装置）１０の構成について説明する。図１は、第１の実施形態に係る紙幣処理装置１０の構成の一例を説明する説明図であり、紙幣処理装置１０の断面を模式的に示す。さらに、詳細には、この図１は、紙幣収納庫１０２を装着したユニット１００が紙幣処理装置１０内のユニット収納位置に適切に収納された状態での紙幣処理装置１０を示している。また、図１においては、紙幣処理装置１０の利用者は、図１の左側に位置するものとする。なお、以下の説明においては、図１を含め説明に用いられる図面は全て、本発明の実施形態の説明とその理解を促すための模式図であり、その形状や寸法、比などは実際の装置とは異なる個所もあるが、これらは以下の説明と公知の技術を参酌して適宜、設計変更することができる。
【００１９】
紙幣処理装置１０は、例えば金融機関等の店舗に設置されて、紙幣を金種ごとに分類し、分類した紙幣を収納するような、紙幣を処理する装置である。図１に示すように、紙幣処理装置１０は、装置本体１２と、入出金口１４と、入出金部１６と、鑑別部１８と、搬送部２０と、制御部２４と、ユニット１００と、紙幣収納庫（媒体収納庫）１０２と、レール２８と、を主に有する。
【００２０】
（装置本体１２）
まず、紙幣処理装置１０の装置本体１２について説明する。装置本体１２は、上側の紙幣処理部１２ａと下側の紙幣収納部１２ｂとに大きく分けることができる。上側の紙幣処理部１２ａは、入出金口１４と、入出金部１６と、鑑別部１８と、搬送部２０と、制御部２４とを有しており、主に、紙幣を取込み又は排出し、紙幣を鑑別し、鑑別結果に基づいて紙幣を搬送先に搬送する機能を持つ。一方、紙幣収納部１２ｂは、ユニット１００と、紙幣収納庫（媒体収納庫）１０２と、レール２８とを有しており、主に、紙幣を収納する機能を持つ。さらに、紙幣収納部１２ｂの内側には、突起部２６が設けられている。突起部２６は、板状の部品である。なお、この突起部２６の詳細については後で説明する。
【００２１】
（入出金口１４）
次に、紙幣処理部１２ａの各部について説明する。紙幣処理部１２ａに設けられた入出金口１４は、例えば、装置本体１２の利用者側の上面側部分に設けられた開口部であり、利用者によって投入された投入紙幣を収納したり、利用者に対して装置本体１２から排出された排出紙幣を収納したりする。さらに、入出金口１４には、図示しないガイド及びローラが設けられており、このガイド及びローラは、入出金口１４に収納された投入紙幣を後述する入出金部１６へ導いたり、入出金部１６から入出金口１４へ排出紙幣を導いたりする。なお、入出金口１４には、シャッタ（図示省略）が設けられていてもよく、当該シャッタを必要に応じて開閉するように制御することにより、紙幣処理装置１０の金庫性をより高めることができる。
【００２２】
（入出金部１６）
入出金部１６は、入出金口１４からガイド（図示省略）等によって入出金部１６に導かれた複数の投入紙幣を、１枚ずつ分離して紙幣処理装置１０内に取り込み、もしくは、紙幣処理装置１０内から繰り出された排出紙幣を入出金口１４へ排出する。入出金口１４には、ガイド（図示省略）及び複数のローラ（図示省略）が設けられており、このガイド及び複数のローラによって、取り込んだ複数の紙幣から１枚ずつ紙幣を分離する。さらに、入出金部１６において１枚ずつ分離された紙幣は、上記のガイド及び複数のローラにより、後述する搬送路２２に受け渡され、後述する鑑別部１８に搬送される。
【００２３】
（鑑別部１８）
鑑別部１８には、その内部にＯＣＲ（Ｏｐｔｉｃａｌ  Ｃｈａｒｃｔｅｒ  Ｒｅｃｏｇｎｉｔｉｏｎ）といったイメージセンサや磁気センサといった真偽センサ等の複数種類のセンサ（図示省略）が組み込まれている。そして、鑑別部１８は、鑑別部１８に搬送された紙幣に対して、例えば紙幣の真偽、金種（紙幣の種類）、正券（例えば、汚れが少ない紙幣）であるか損券（例えば、汚れが多い紙幣）であるかといった紙幣の正損状態、鑑別時における紙幣の表裏の向きを鑑別することができ、その鑑別結果は、後述する制御部２４に出力される。なお、鑑別部１８により鑑別された紙幣は、鑑別部１８から排出され、後述する搬送路２２により搬送部２０に搬送される。
【００２４】
（搬送部２０）
搬送部２０は、鑑別部１８によって鑑別された紙幣を、鑑別部１８による鑑別結果に基づいて制御部２４により決定された搬送先（例えば、紙幣収納庫１０２）に搬送する。詳細には、搬送部２０は、紙幣が搬送される搬送路２２と、複数のローラ（図示省略）と、紙幣を案内する複数の切替部（図示省略）とを有する。各ローラは、搬送路２２を挟んで対向するように配置され、後述する制御部２４により制御され各ローラが回転することにより、搬送路２２が所定の方向に移動し、紙幣を搬送することができる。さらに、搬送路２２に接して設けられた楔形形状の切替部の傾斜方向を変化させることで、紙幣の搬送方向を切り替えることができる。また、搬送路２２は、図１においては、例えば、入出金部１６から、鑑別部１８及び搬送部２０を貫き、ユニット１００に装着された１個の紙幣収納庫１０２まで延びている。しかしながら、本実施形態においては、このような態様に限定されるものではなく、搬送路２２は、入出金部１６から、例えば、ユニット１００に装着された複数の紙幣収納庫１０２へ分岐して延びていてもよく、また、装置本体１２の他の機能部に延びていてもよい。さらに、本実施形態においては、搬送路２２は、紙幣処理装置１０の他の機能部を貫いていてもよい。
【００２５】
（制御部２４）
制御部２４は、例えば紙幣処理装置１０内に設けられ、ＣＰＵ（Ｃｅｎｔｒａｌ  Ｐｒｏｃｅｓｓｉｎｇ  Ｕｎｉｔ）を中心に構成されており、紙幣処理等の種々の処理のための制御を行うことができる。制御部２４は、利用者からの操作に基づいて、制御部２４の有する記憶部（図示省略）から所定のプログラムを読み出して実行することにより、入出金部１６、鑑別部１８、搬送部２０等の紙幣処理装置１０の各所を制御することができる。なお、制御部２４は、図１では紙幣処理部１２ａに設けられているが、本実施形態においてはこのような態様に限定されるものではなく、紙幣収納部１２ｂに設けられてもよく、もしくは、紙幣処理装置１０の外部に設けられてもよい。
【００２６】
（ユニット１００）
次に、紙幣収納部１２ｂの各部について説明する。ユニット１００は、装置本体１２の紙幣収納部１２ｂに、装置本体１２の紙幣収納部１２ｂから引出可能に収納される。詳細には、ユニット１００の下側には、図１中の左右方向に延びるレール２８が設けられており、ユニット１００は、レール２８上を摂動することにより、装置本体１２から利用者側に、すなわち、図中の矢印Ｂの方向に引き出されることができる。なお、ユニット１００を装置本体１２から容易に引き出すことができるように、レール２８とユニット１００との間の摩擦力が小さくなるように、レール２８及びユニット１００は構成されることが好ましい。
【００２７】
また、ユニット１００は、その内部に後述する紙幣収納庫１０２が装着される。従って、紙幣処理装置１０の利用者は、ユニット１００を利用者側に引き出すことにより、ユニット１００内に紙幣収納庫１０２を装着したり、もしくは、ユニット１００内に装着された紙幣収納庫１０２を取り出したりすることができる。また、ユニット１００の利用者側の側面とは反対側に位置する側面（図１中では、ユニット１００の右側の側面）には、貫通孔２６ａが設けられている。図1に示すように、ユニット１００が装置本体１２内のユニット収納位置に適切に収納された場合には、紙幣処理部１２ａの内側に設けられた突起部２６が、上記貫通孔２６ａを貫通する。なお、貫通孔２６ａ及びこれを貫通する突起部２６については、後で詳細を説明する。
【００２８】
（紙幣収納庫１０２）
紙幣収納庫１０２は、鑑別部１８による鑑別結果が予め紙幣収納庫１０２に収納対象と定められている鑑別結果に該当する場合に、鑑別された紙幣が搬送され、かつ、搬送された紙幣を収納する部位であり、ユニット１００に装着される。図１には図示されていないが、ユニット１００内の紙幣収納庫１０２の装着位置には、紙幣収納庫１０２を固定する機構が設けられており、当該機構によって紙幣収納庫１０２はユニット１００に固定される。
【００２９】
また、紙幣収納庫１０２の上面には、紙幣処理部１２ａから搬送された紙幣を受け入れるための開口部１０２ａが設けられている。さらに、紙幣収納庫１０２には、この開口部１０２ａを開閉するシャッタ１２４が設けられており、紙幣を厳重に管理するために、紙幣を収納する紙幣収納庫１０２の金庫性を確保する。なお、紙幣収納庫１０２の詳細については、後で説明する。また、ここでは、本発明の実施形態を紙幣処理装置１０に適用した場合として説明を行うため、紙幣を収納する紙幣収納庫１０２を例に挙げているが、本実施形態は、紙幣を収納する紙幣収納庫１０２に限定されるものではなく、例えば、本実施形態を硬貨処理装置に適用した場合には、上記紙幣収納庫１０２の代わりに、硬貨を収納する硬貨収納庫を例として挙げることができる。
【００３０】
なお、第１の実施形態に係る紙幣処理装置１０においては、図１に図示されていないが、紙幣を検知する検知部を紙幣処理装置１０内の搬送路２２上の各所に複数設けてもよい。当該検知部は、搬送路２２における紙幣の搬送状態を検知し、得られた検知結果を制御部２４に出力する。例えば、当該検知部としては、紙幣により光が遮られることにより搬送状態を検知する受発光センサからなる光学式センサ等を用いることができる。さらに、第１の実施形態に係る紙幣処理装置１０においては、図１に図示されていないが、鑑別部１８により金種不明もしくは受付不能と鑑別された紙幣を格納する収納庫や、取り込んだ紙幣の表裏を反転させるような表裏反転部、通信ネットワークを介して外部装置との間で通信を行う通信インターフェース等、他の機能部が設けられていてもよい。
【００３１】
＜ユニット１００及び紙幣収納庫１０２の構成＞
次に、図２及び図３を参照して、本実施形態に係るユニット１００及び紙幣収納庫１０２の詳細を説明する。図２は、第１の実施形態に係る紙幣処理装置１０を図１のＡ−Ａ´で切断した場合の断面図である。図３は、第１の実施形態に係るシャッタロック機構１３８のガイド部１３８ｂの平面図であって、図２に示されるシャッタロック機構１３８に対応する。なお、図２においては、ユニット１００には、紙幣収納庫１０２が１個装着されているが、本実施形態においては、ユニット１００に装着される紙幣収納庫１０２の数は１個に限定されることはなく、複数個の紙幣収納庫１０２が格納されていてもよい。この場合、複数の紙幣収納庫は、ユニット１００内に、図２中の上下方向に沿って縦１列に装着されることとなる。
【００３２】
（ユニット１００）
ユニット１００は、装置本体１２の紙幣収納部１２ｂに、装置本体１２の紙幣収納部１２ｂから引出可能に収納される。紙幣収納部１２ｂ内のユニット１００の下側には、先に説明したように、レール２８が設けられており、ユニット１００は、レール２８上を摂動することにより、図２中の矢印Ｃの方向に、すなわち、装置本体１２から利用者側へ引き出されることができる。
【００３３】
さらに、ユニット１００は、ロック部１１２によって、装置本体１２のユニット収納位置に固定される。詳細には、ロック部１１２は、ユニット１００が装置本体１２内のユニット収納位置に適切に収納された場合に、ユニット１００をユニット収納位置に固定する機能部であり、装置本体１２の紙幣収納部１２ｂの内側に設けられ、先端が細くなったＬ字形状のフック部１１２ａと、ユニット１００の外側（図２においては、ユニット１００の右下隅）に設けられ、フック部１１２ａと係合可能な形状を有する係合部１１２ｂとを有する。そして、ユニット１００が装置本体１２内のユニット収納位置に適切に収納された場合に、フック部１１２ａと係合部１１２ｂとが互いに係合することにより、ユニット１００を装置本体１２に固定する。また、フック部１１２ａは、回転軸１１２ｃを中心にして回動可能な構成を有し、図示しない付勢部材によって、図２中においては反時計回りに回動するように付勢されている。なお、ロック部１１２によるユニット１００を固定する動作については、後で説明する。
【００３４】
なお、本実施形態においては、ロック部１１２の態様は、図２に示されるものに限定されるものではなく、ユニット１００が装置本体１２内のユニット収納位置に適切に収納された際に、ユニット１００を装置本体１２のユニット収納位置に固定することができれば、他の態様であってもよい。
【００３５】
ユニット１００が装置本体１２内のユニット収納位置に適切に収納されていることを検知するために、装置本体１２の紙幣収納部１２ｂの内側にはセンサ１１６が設けられている。このセンサ１１６は、例えば一対の発光センサ及び受光センサからなる光学式センサであることができる。例えば、センサ１１６は、装置本体１２内のロック部１１２のフック部１１２ａの近傍に設けられ、センサ１１６の発光センサから照射された光が、ユニット１００の端部（図２においては、係合部１１２ｂ）によって遮られ、センサ１１６の受光センサによって検知されなくなることにより、センサ１１６は、装置本体１２内のユニット収納位置に適切に収納されていることを検知することができる。また、本実施形態においては、センサ１１６は、光学式センサに限定されるものではなく、電気式センサでもよく、この場合には、センサ１１６とユニット１００との間の電気の導通を検知することにより、センサ１１６は、装置本体１２内のユニット収納位置に適切に収納されていることを検知することができる。
【００３６】
また、ユニット１００内部には、先に説明したように、ユニット１００内の紙幣収納庫１０２の装着位置に設けられた、紙幣収納庫１０２を固定する機構（図示省略）によって、紙幣収納庫１０２が固定される。
【００３７】
また、先に説明したように、ユニット１００の利用者側の側面とは反対側に位置する側面（図２中では、ユニット１００の右側の側面）には、貫通孔２６ａが設けられている。ユニット１００が装置本体１２内に挿入された際には、装置本体１２の紙幣収納部１２ｂの内側に設けられた突起部２６がこの貫通孔２６ａを貫通することができ、さらに、ユニット１００が装置本体１２内の奥に挿入された場合には、ユニット１００の貫通孔２６ａを貫通した突起部２６が、後述する紙幣収納庫１０２のシャッタロック機構１３８のレバー１３８ａ及び押圧部１４０を押圧することとなる（なお、突起部２６が、貫通孔２６ａを貫通し、押圧部１４０を押圧するまでの一連の動作については、後で説明する）。また、装置本体１２の紙幣収納部１２ｂの内側に設けられた突起部２６は、板状の部品である。さらに詳細には、突起部２６は、図２に示すように、突起部２６を上から見ると、利用者側（図２中では左側）に細くなる形状を有しており、さらに、突起部２６の細くなった先端部の、シャッタロック機構１３８のレバー１３８ａ側に位置する側面（図２中では上側の側面）は、斜めになっている。ただし、本実施形態においては、突起部２６は、図１及び図２に示されるような形状に限定されるものではなく、他の形状であってもよい。
【００３８】
（紙幣収納庫１０２）
紙幣収納庫１０２は、先に説明したように、搬送された紙幣を収納する部位であり、ユニット１００内の紙幣収納庫１０２の装着位置に設けられた、紙幣収納庫１０２を固定する機構（図示省略）によって、ユニット１００の内部に固定される。また、紙幣収納庫１０２は、ユニット１００の引出方向（図２中矢印Ｃで示される方向）に沿って移動可能なシャッタ１２４と、シャッタ１２４を引出方向に対して反対方向へ付勢する２つの付勢部材１２６と、シャッタ１２４を閉鎖位置に固定するシャッタロック機構１３８と、シャッタ１２４と連結され、且つ、紙幣収納庫１０２を格納したユニット１００を装置本体１２に挿入した際に装置本体１２に設けられた突起部２６によって押圧される押圧部１４０と、を主に有する。
【００３９】
紙幣収納庫１０２には、搬送された紙幣を受け入れるための開口部１０２ａが紙幣収納庫１０２の上面の、利用者側とは反対側の領域（図２中では右側の領域）に設けられており、さらに、この開口部１０２ａを開閉するシャッタ１２４が設けられている。詳細には、このシャッタ１２４は、ユニット１００の引出方向（図２中矢印Ｃで示される方向）に沿って移動し、紙幣収納庫１０２の開口部１０２ａを開閉する。
【００４０】
さらに、シャッタ１２４には、シャッタ１２４を引出方向（図２中の矢印Ｃで示される方向）に対して反対方向へ付勢する２つ付勢部材１２６が設けられている。詳細には、付勢部材１２６は、例えば引張コイルばねであり、後述するシャッタ１２４と連結する押圧部１４０と、紙幣収納庫１０２の利用者側の側面とは反対側に位置する側面（図２中では、紙幣収納庫１０２の右側の側面）との間を接続するように、設けられている。そして、付勢部材１２６は、シャッタ１２４を引出方向に対して反対方向へ付勢することにより、シャッタ１２４を引出方向とは反対方向に移動させる。すなわち、付勢部材１２６は、シャッタ１２４を、シャッタ１２４によって紙幣収納庫１０２の開口部１０２ａを閉鎖するような位置に移動させる。なお、以下の説明においては、この際のシャッタ１２４の位置、すなわち、シャッタ１２４によって紙幣収納庫１０２の開口部１０２ａを閉鎖するようなシャッタ１２４の位置を、閉鎖位置と呼ぶ。また、シャッタ１２４の開閉動作については、後で説明する。
【００４１】
シャッタロック機構１３８は、シャッタ１２４を上記閉鎖位置に固定する機能部であり、さらに、突起部２６によって押圧されることにより、シャッタ１２４の閉鎖位置への固定を解除することができる。詳細には、シャッタロック機構１３８は、紙幣収納庫１０２の上面に設けられ、レバー１３８ａと、ガイド部１３８ｂと、付勢部材（図示省略）とを有する。
【００４２】
まず、レバー１３８ａは、突起部２６で押圧される部位であって、その一部がガイド部１３８ｂと重なるように設けられており、ガイド部１３８ｂと重なるレバー１３８ａの上端部には、ガイド部１３８ｂに向かって突出する突出部３３８が設けられている。また、ガイド部１３８ｂと重ならないレバー１３８ａの下端部には、突起部２６によって押圧されるローラ３４０が設けられている。さらに、レバー１３８ａの中央部には、レバー１３８ａとシャッタ１２４とを連結し、互いに連動して移動させるための連結部３４２が設けられている。この連結部３４２は、レバー１３８ａとシャッタ１２４とが、互いに一体となって図２中の左右方向（図中の矢印Ｃに沿った方向）に移動することができるように構成され、さらに、連結部３４２は、レバー１３８ａが、シャッタ１２４に対して図２中の上下方向に移動することができるように構成されている。そして、レバー１３８ａは、突起部２６に向かう方向、すなわち、図２中の下向きの方向に、付勢部材（図示省略）により付勢されている。
【００４３】
一方、ガイド部１３８ｂは、レバー１３８ａの移動を規制する部位であって、レバー１３８ａの突出部３３８が係合して、移動するための溝３４４が設けられている。より具体的には、ガイド部１３８ｂの溝３４４は、図３に示されるように、シャッタ１２４の引出方向（図３中では左右方向）に沿って延びる２つの平行な太溝３４４ａ、３４４ｂと、これらの２つの太溝３４４ａ、３４４ｂを接続するような細溝３４４ｃとから構成される。２つの太溝３４４ａ、３４４ｂは、図３中の上下方向に沿って、突出部３３８の幅（図２中の上下方向における突出部３３８の幅）に対応する幅を持っている。さらに、図３中の上側の太溝３４４ａは、図３中の左右方向に沿って、シャッタ１２４の移動可能な距離（図２の左右方向にシャッタ１２４が移動することが可能な距離）に対応する長さを持っており、図３中の下側の太溝３４４ｂは、図３中の左右方向に沿って、突出部３３８の長さ（図２中の左右方向に沿った突出部３３８の長さ）に対応する長さを持つ。また、細溝３４４ｃの図３中の上下方向に沿った幅は短く、さらに、細溝３４４ｃの図３中の左右方向に沿った幅は、突出部３３８の長さ（図２中の左右方向に沿った突出部３３８の長さ）と同じである。より詳細には、細溝３４４ｃには、細溝３４４ｃを図３中の左右方向から挟み込むように突出した一対のストッパー３４６が設けられており、細溝３４４ｃの図３中の左右方向に沿った幅が、上記突出部３３８の長さよりも狭くなっている。なお、上記シャッタロック機構１３８の動作については、後で説明する。
【００４４】
また、本実施形態においては、シャッタロック機構１３８の構成については、図２及び図３に示される構成に限定されるものではなく、シャッタ１２４を閉鎖位置に固定することができれば、他の構成であってもよい。
【００４５】
押圧部１４０は、シャッタ１２４の利用者側（図２中の左側）の端部と連結するように設けられている。例えば、紙幣収納庫１０２を装着したユニット１００が紙幣処理装置１０内のユニット収納位置に適切に収納された際には、この押圧部１４０が装置本体１２に設けられた突起部２６によって押圧される。この押圧部１４０が突起部２６によって押圧されることによって行われる、シャッタ１２４の動作については、後で説明する。
【００４６】
また、図１及び図２においては、押圧部１４０は、細長い板状の部品として示されているが、本実施形態においては、このような形態に限定されるものではなく、押圧部１４０が、シャッタ１２４と連結され、紙幣収納庫１０２を装着したユニット１００が紙幣処理装置１０内のユニット収納位置に適切に収納された際に、突起部２６によって押圧されることができる形態であれば、特に限定されるものではない。
【００４７】
＜ユニット１００及び紙幣収納庫１０２の動作＞
次に、図４から図７を参照して、ユニット１００及び紙幣収納庫１０２の動作を説明する。図４から図７は、図２に対応する紙幣処理装置１０の断面図であって、本実施形態に係るユニット１００及び紙幣収納庫１０２による一連の動作例を示す図である。
【００４８】
まず、図４に示すように、紙幣処理装置１０の利用者は、紙幣収納庫１０２を装着したユニット１００を装置本体１２に挿入する。挿入する際には、図４中の矢印Ｄの方向に、ユニット１００を装置本体１２に挿入する。ユニット１００の挿入前及び挿入を開始した際には、図４に示すように、装置本体１２に設けられた突起部２６は、シャッタロック機構１３８のレバー１３８ａ及びシャッタ１２４に連結する押圧部１４０には接触していない。
【００４９】
詳細には、図４の状態においては、シャッタ１２４は、シャッタ１２４を引出方向に対して反対方向（図４中の矢印Ｄの方向）へ付勢する付勢部材１２６によって付勢されているため、閉鎖位置に位置している。同様に、シャッタ１２４と連結部３４２によって連結されたシャッタロック機構１３８のレバー１３８ａも、付勢部材１２６によって、図４中の矢印Ｄの方向に付勢される。さらに、レバー１３８ａは、シャッタロック機構１３８の付勢部材（図示省略）により、図４中の下向きの方向にも、付勢されている。このように、レバー１３８ａがシャッタ１２４の付勢部材１２６とシャッタロック機構１３８の付勢部材とによって付勢されていることから、レバー１３８ａの突出部３３８は、ガイド部１３８ｂの溝３４４に誘導され、ガイド部１３８ｂの溝３４４のうちの太溝３４４ｂの部分に位置することとなる（図３参照）。さらに、突出部３３８は、太溝３４４ｂの部分に位置することにより、太溝３４４ｂにより図４中の矢印Ｄに沿った方向の移動を妨げられ、且つ、細溝３４４ｃの部分の一対のストッパー３４６によって図４中の上下方向の移動を妨げられ、その結果、固定される。このように突出部３３８が太溝３４４ｂの部分に固定されていることから、突出部３３８と連結するレバー１３８ａが固定され、ひいては、レバー１３８ａと連結するシャッタ１２４が、図４中の右側にある閉鎖位置に固定される。すなわち、図４の状態においては、シャッタ１２４は、シャッタロック機構１３８により、閉鎖位置に固定される。
【００５０】
次に、利用者が、図５中の矢印Ｄの方向に、紙幣収納庫１０２を装着したユニット１００を装置本体１２に挿入し続ける。ユニット１００を挿入することにより、装置本体１２に設けられた突起部２６は、ユニット１００の側面に設けられた貫通孔２６ａを貫通し、突起部２６の側面は、レバー１３８ａのローラ３４０に接触する。詳細には、図５中の矢印Ｄの方向に、ユニット１００の挿入を進めると、突起部２６の側面は、ローラ３４０を図５中の上向きの方向に押圧し、ローラ３４０は、突起部２６の側面を転がりながら、突起部２６の側面の形状に従って図５中の上向きの方向に沿って移動する。この際、ローラ３４０の動きに伴って、レバー１３８ａの突出部３３８は、図５中の上向きの方向に沿って移動を始め、細溝３４４ｃのストッパー３４６上を乗り上げ（図３参照）、図５中の上下方向に沿って、ガイド部１３８ｂの下側の太溝３４４ｂから上側の太溝３４４ａへと移動する。そして、突出部３３８が上側の太溝３４４ａに移動すると、上側の太溝３４４ａの形状により、突出部３３８は、図５中の矢印Ｄの方向に沿って移動することが可能となる。従って、突出部３３８と連結するレバー１３８ａも同様に、図５中の矢印Ｄの方向に沿って移動することが可能となり、ひいては、レバー１３８ａと連結するシャッタ１２４も図５中の矢印Ｄの方向に沿って移動することが可能となる。すなわち、シャッタロック機構１３８は、突起部２６によって図５中の上向きの方向に押圧されることにより、シャッタ１２４の閉鎖位置への固定を解除する。
【００５１】
さらに、図６に示すように、利用者が、図６中の矢印Ｄの方向に、紙幣収納庫１０２を装着したユニット１００を装置本体１２に挿入し続ける。この際、ユニット１００を装置本体１２内のユニット収納位置に適切に収納するように挿入していた場合には、フック部１１２ａは、係合部１１２ｂに一瞬押圧されるが、さらにユニット１００が装置本体１２の奥に挿入されると、フック部１１２ａの先端が細くなっているため、係合部１１２ｂがフック部１１２ａの図中下側に回りこみ、フック部１１２ａと係合部１１２ｂとが係合する。さらに、フック部１１２ａは、図示しない付勢部材によって、回転軸１１２ｃを中心にして図６中においては反時計回りに回動するように付勢されているため、係合部１１２ｂを図６中の矢印Ｄの方向へ押圧し、係合部１１２ｂを固定する。このように、フック部１１２ａと係合部１１２ｂとが係合することにより、ユニット１００はユニット収納位置に固定される。なお、この際、センサ１１６は、ユニット１００が装置本体１２内のユニット挿入位置に適切に挿入されていることを検知する。
【００５２】
また、この際、図６に示すように、ユニット１００を装置本体１２に挿入することにより、突起部２６は、シャッタ１２４に連結された押圧部１４０を押圧する。上述したように既にシャッタロック機構１３８によるシャッタ１２４の閉鎖位置への固定は解除されているため、シャッタ１２４は、突起部２６による押圧部１４０に対する押圧により、図６中の左側へ向かう方向（図６中の矢印Ｄで示される方向とは反対向きの方向）に移動する。すなわち、シャッタ１２４は、突起部２６が押圧部１４０を押圧することにより、ユニット１００の引出方向（図６中の矢印Ｄで示される方向とは反対向きの方向）に移動し、紙幣収納庫１０２の開口部１０２ａが開く。
【００５３】
一方、ユニット１００が装置本体１２内のユニット収納位置に適切に収納されない場合には、装置本体１２に設けられたフック部１１２ａは、ユニット１００に設けられた係合部１１２ｂと係合することができないため、ロック部１１２より、ユニット１００はユニット収納位置に固定されることはない。
【００５４】
この場合においても、これまで説明した図４から図５の状態を経て、利用者が、ユニット１００を装置本体１２に挿入し続けると、突起部２６が、シャッタ１２４に連結された押圧部１４０を押圧する。しかしながら、この場合は、ユニット１００が装置本体１２に固定されておらず、且つ、レール２８とユニット１００との間の摩擦力が小さいため、突起部２６によって押圧部１４０が押圧されても、シャッタ１２４を引出方向（図７中の矢印Ｅで示される方向）に対して反対方向へ付勢する付勢部材１２６は、上記引出方向に沿って縮まろうとし、その結果、図７に示すように、シャッタ１２４ではなく、紙幣収納庫１０２を装着したユニット１００全体を、図７中の矢印Ｅの方向へ移動させる。すなわち、突起部２６によって押圧部１４０が押圧されることをきっかけに、付勢部材１２６の付勢力により、紙幣収納庫１０２を装着したユニット１００は、図７中の矢印Ｅの方向に、すなわち、ユニット１００の引出方向へ飛び出すように移動する（ポップアップする）。従って、ユニット１００を挿入していた利用者は、ユニット１００がポップアップすることにより、ユニット１００が装置本体１２内のユニット収納位置に適切に収納されていないことを知覚することができる。
【００５５】
ところで、先に説明したように、紙幣収納庫を装着したユニットは、紙幣を適切に受け入れ、紙幣処理装置における誤操作を避けるために、紙幣処理装置のユニット収納位置に適切に収納されなくてはならない。そのために、従来の紙幣処理装置においては、ユニットが装置本体のユニット装着位置に適切に装着されていないことを精度よく検知するためのセンサや、紙幣処理装置の利用者に対して、ユニットが装置本体のユニット装着位置に適切に装着されていない旨を伝えるための表示を行うための機構、同様の内容を音声によって伝えるための機構等を設けることが考えられる。
【００５６】
しかしながら、本実施形態に係る紙幣処理装置１０においては、ユニット１００が装置本体１２内のユニット収納位置に適切に収納されず、ユニット１００が装置本体１２に固定されない場合には、ユニット１００を挿入する最中に、ユニット１００がポップアップする。従って、本実施形態によれば、ユニット１００を挿入していた利用者は、ユニット１００がポップアップすることにより、ユニット１００が装置本体１２内のユニット収納位置に適切に収納されていないことを知覚することができ、再度、ユニット１００を挿入する作業を行うことができる。すなわち、本実施形態によれば、ユニット１００が装置本体１２内のユニット収納位置に適切に収納されるまで、利用者は、ユニット１００を挿入する作業を繰り返し行うこととなり、その結果、ユニット１００は装置本体１２内のユニット収納位置に適切に収納されることとなる。
【００５７】
さらに、本実施形態によれば、突起部２６によって押圧される押圧部１４０と、付勢部材１２６とを設けることにより、利用者に対してユニット１００が装置本体１２内のユニット収納位置に適切に収納されていないことを知覚させる構成にすることができる。従って、本実施形態によれば、上述の構成を少ない部品で形成することができ、ユニット１００が装置本体のユニット装着位置に適切に装着されていないことを精度よく検知するためのセンサや、紙幣処理装置の利用者に対して、ユニット１００が装置本体のユニット装着位置に適切に装着されていない旨を伝えるための表示を行うための機構、同様の内容を音声によって伝えるための機構等を設けることもなく、紙幣処理装置１０の製造コストを抑えることができる。
【００５８】
また、本実施形態においては、ロック部１１２は、先に説明した制御部２４によって制御されてもよい。例えば、後述するセンサ１１６の出力に基づいて、制御部２４は、ロック部１１２に対して、ユニット１００を装置本体１２に固定するように指示してもよい。この場合、紙幣処理装置１０の利用者が、装置本体１２に設けられた操作部（図示省略）に対して操作を行ったことに基づき、制御部２４は、ロック部１１２に対して、ユニット１００を装置本体１２に固定することを解除するように指示してもよい。
【００５９】
＜＜変形例＞＞
本実施形態においては、第１の実施形態に係るユニット１００及び紙幣収納庫１０２の構成は、図２に示す形態に限定されることはなく、例えば、以下に示すような、第１の実施形態に係るシャッタが、スライド部４２４ａ及びシャッタ部４２４ｂに分割されているような構成であってもよい。以下に、この本実施形態の変形例について説明する。
【００６０】
なお、本変形例に係る紙幣処理装置４０の基本的構成については、第１の実施形態と共通であり、第１の実施形態の紙幣処理装置１０の説明及び説明図である図１を参照し得る。したがって、ここでは、本変形例に係る紙幣処理装置４０についての説明を省略する。
【００６１】
＜ユニット４００及び紙幣収納庫４０２の構成＞
次に、図８を参照して、本変形例に係るユニット４００及び紙幣収納庫４０２の詳細を説明する。図８に、本変形例に係る紙幣処理装置４０を図１のＡ−Ａ´で切断した断面図を示す。なお、本変形例に係るユニット４００及び紙幣収納庫４０２の構成のうち、第１の実施形態に係るシャッタが、スライド部４２４ａ、シャッタ部４２４ｂ及び連結部４２４ｃから構成され、付勢部材１２６、シャッタロック機構１３８及び押圧部１４０が、スライド部４２４ａ側に設けられていること以外は、第１の実施形態のユニット１００及び紙幣収納庫１０２と共通のため、ここでは、第１の実施形態のユニット１００及び紙幣収納庫１０２と共通する事項の説明については省略し、共通しない要素等についてのみ説明する。
【００６２】
紙幣収納庫４０２は、第１の実施形態と同様に、搬送された紙幣を収納する部位であって、ユニット４００に装着される。図８に示されるように、紙幣収納庫４０２は、ユニット４００の引出方向（図８中矢印Ｆで示される方向）に沿って移動可能なスライド部４２４ａと、スライド部４２４ａと同様に、ユニット４００の引出方向に沿って移動可能なシャッタ部４２４ｂと、スライド部４２４ａとシャッタ部４２４ｂとを連結する連結部４２４ｃとをさらに有する。
【００６３】
スライド部４２４ａは、紙幣収納庫４０２の上面に設けられており、ユニット４００の引出方向（図８中矢印Ｆで示される方向）に沿って移動することができる。さらに、紙幣収納庫４０２には、第１の実施形態と同様に、搬送された紙幣を受け入れるための開口部４０２ａが紙幣収納庫４０２の上面の利用者側とは反対側（図８中では右側）に設けられており、開口部４０２ａを開閉するようにシャッタ部４２４ｂが設けられている。
【００６４】
シャッタ部４２４ｂは、搬送された紙幣を受け入れるための紙幣収納庫４０２の開口部４０２ａを開閉するシャッタであり、連結部４２４ｃによりスライド部４２４ａに連結されており、スライド部４２４ａの移動に連動して、ユニット４００の引出方向（図８中の矢印Ｆで示される方向）に沿って移動する。
【００６５】
スライド部４２４ａには、第１の実施形態と同様に、スライド部４２４ａと連結する押圧部１４０と、スライド部４２４ａをユニット４００の引出方向（図８の中矢印Ｆで示される方向）に対して反対方向へ付勢する付勢部材１２６とが設けられている。詳細には、この押圧部１４０は、第１の実施形態と同様に、突起部２６によって押圧される。また、付勢部材１２６は、第１の実施形態と同様に、例えば引張コイルばねであり、押圧部１４０と、紙幣収納庫４０２の利用者側の側面とは反対側の側面（図８中では、紙幣収納庫４０２の右側の側面）との間を接続するように、設けられている。
【００６６】
また、スライド部４２４ａは、連結部３４２により、第１の実施形態と同様のシャッタロック機構１３８のレバー１３８ａと連結している。従って、本変形例においては、シャッタロック機構１３８は、スライド部４２４ａの動きを固定することにより、シャッタ部４２４ｂの移動を固定する。
【００６７】
また、本変形例に係るユニット４００及び紙幣収納庫４０２の動作については、突起部２６が、スライド部４２４ａのシャッタロック機構１３８のレバー１３８ａ及び押圧部１４０に対して作用し、当該作用によってスライド部４２４ａが移動し、スライド部４２４ａの移動に伴い、シャッタ部４２４ｂが移動すること以外は、第１の実施形態と同様である。従って、ここでは、本変形例に係るユニット４００及び紙幣収納庫４０２の動作の説明を省略する。
【００６８】
なお、本変形例においては、第１の実施形態に係るシャッタが、スライド部４２４ａ及びシャッタ部４２４ｂに分離することにより、突起部２６及びシャッタロック機構１３８が作用する部位であるスライド部４２４ａと、紙幣収納庫４０２を開閉するシャッタ部４２４ｂとが、一定の距離で離隔される。従って、開口部４０２ａに延びる搬送路２２と、突起部２６及びシャッタロック機構１３８との間には、一定の距離が確保されているため、紙幣収納庫４０２に対して紙幣が搬送される際に、搬送路２２による紙幣の搬送を、突起部２６及びシャッタロック機構１３８とが妨げることを避けることができる。さらに、本変形例によれば、突起部２６及びシャッタロック機構１３８が作用する部位であるスライド部４２４ａと、シャッタ部４２４ｂとを分離することにより、シャッタ部４２４ｂの設計の自由度を高めることができる。
【００６９】
＜＜第２の実施形態＞＞
第１の実施形態においては、シャッタ１２４を付勢する付勢部材として、２つの引張コイルばねを用いていた。それに対して、以下の第２の実施形態においては、シャッタ１２４を付勢する付勢部材５２６として、１つの板バネを用いる。第２の実施形態によれば、付勢部材として板バネを用いることにより、本実施形態に係る紙幣処理装置５０の部品点数をより抑えることができ、紙幣処理装置５０の製造コストを抑えることができる。
【００７０】
なお、本実施形態に係る紙幣処理装置５０の基本的構成については、第１の実施形態と共通であり、第１の実施形態の紙幣処理装置１０の説明及び説明図である図１を参照し得る。したがって、ここでは、本実施形態に係る紙幣処理装置５０についての説明を省略する。
【００７１】
＜ユニット５００及び紙幣収納庫５０２の構成＞
次に、図９を参照して、本実施形態に係るユニット５００及び紙幣収納庫５０２を説明する。図９に、本実施形態に係る紙幣処理装置５０を図１のＡ−Ａ´で切断した断面図を示す。なお、本実施形態に係るユニット５００及び紙幣収納庫５０２のうち、付勢部材が板バネであること以外は、第１の実施形態と共通のため、ここでは、第１の実施形態のユニット１００及び紙幣収納庫１０２と共通する要素の説明については省略し、共通しない要素についてのみ説明する。
【００７２】
本実施形態においても、第１の実施形態度同様に、シャッタ１２４には、シャッタ１２４を引出方向（図９中矢印Ｇで示される方向）に対して反対方向へ付勢する付勢部材５２６が設けられている。詳細には、付勢部材５２６は、例えば板ばねであり、図９に示すように、シャッタ１２４と連結する押圧部１４０を利用者側から押圧するように、ユニット５００内部の図中左側に設置されている。そして、付勢部材５２６は、シャッタ１２４を引出方向に対して反対方向へ付勢することにより、シャッタ１２４は、紙幣収納庫５０２の開口部５０２ａを閉鎖する閉鎖位置に移動する。
【００７３】
また、本実施形態に係るユニット５００及び紙幣収納庫５０２の動作については、第１の実施形態と同様であるため、ここでは、本実施形態に係るユニット５００及び紙幣収納庫５０２の動作の説明を省略する。
【００７４】
本実施形態においては、以上のように紙幣処理装置５０を構成することにより、第１の実施形態と同様に、ユニット５００が装置本体１２内のユニット収納位置に適切に収納されず、ユニット５００が装置本体１２に固定されない場合には、ユニット５００を挿入する中で、ユニット５００がポップアップする。従って、本実施形態によれば、ユニット５００を挿入していた利用者は、ユニット５００がポップアップすることにより、ユニット５００が装置本体１２内のユニット収納位置に適切に収納されていないことを知覚することができ、再度、ユニット５００を挿入する作業を行うことができる。その結果、ユニット５００は装置本体１２内のユニット収納位置に適切に収納されることとなる。
【００７５】
さらに、本実施形態によれば、突起部２６によって押圧される押圧部１４０と、付勢部材として１つの板バネ５２６とを設けることにより、利用者に対してユニット５００が装置本体１２内のユニット収納位置に適切に収納されていないことを知覚させる構成にすることができる。従って、本実施形態によれば、上述の構成を少ない部品で形成することができ、ユニットが装置本体のユニット装着位置に適切に装着されていないことを精度よく検知するためのセンサや、紙幣処理装置の利用者に対して、ユニットが装置本体のユニット装着位置に適切に装着されていない旨を伝えるための表示を行うための機構、同様の内容を音声によって伝えるための機構等を設けることもないことから、紙幣処理装置５０の製造コストをより抑えることができる。
【００７６】
なお。本実施形態においては、付勢部材５２６は、板バネに限定されるものではなく、例えば、トーションスプリングを用いてもよい。
【００７７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００７８】
１０、４０、５０  紙幣処理装置
１２  装置本体
１２ａ  紙幣処理部
１２ｂ  紙幣収納部
１４  入出金口
１６  入出金部
１８  鑑別部
２０  搬送部
２２  搬送路
２４  制御部
２６  突起部
２６ａ  貫通孔
２８  レール
１００、４００、５００  ユニット
１０２、４０２、５０２  紙幣収納庫
１０２ａ、４０２ａ、５０２ａ  開口部
１１２  ロック部
１１２ａ  フック部
１１２ｂ  係合部
１１２ｃ  回転軸
１１６  センサ
１２４  シャッタ
１２６、５２６  付勢部材
１３８  シャッタロック機構
１３８ａ  レバー
１３８ｂ  ガイド部
１４０  押圧部
３３８  突出部
３４０  ローラ
３４２  連結部
３４４  溝
３４４ａ、３４４ｂ  太溝
３４４ｃ  細溝
３４６  ストッパー
４２４ａ  スライド部
４２４ｂ  シャッタ部
４２４ｃ  連結部
Ｂ、Ｃ、Ｄ、Ｅ、Ｆ、Ｇ  矢印
【図１】
0006672704.tif 000002
【図２】
0006672704.tif 000003
【図３】
0006672704.tif 000004
【図４】
0006672704.tif 000005
【図５】
0006672704.tif 000006
【図６】
0006672704.tif 000007
【図７】
0006672704.tif 000008
【図８】
0006672704.tif 000009
【図９】
0006672704.tif 000010